(57)【要約】【課題】操作部と本体部とを独立させた構成の機器を連携動作させる場合であっても、連携動作のジョブを管理することができる連携システム、情報処理装置及び記憶媒体を提供する。【解決手段】子機の操作部１１は、単独ジョブを子機の本体部２０に実行させ、連携ジョブを本体部及びサーバ装置３０に実行させ、本体部２０は、単独ジョブの実行要求が行われる毎に、当該単独ジョブを実行し、単独ジョブログ識別情報を含む単独ジョブログを生成して管理し、サーバ装置３０は、連携ジョブの実行要求に基づいて、連携ジョブを構成する単独ジョブの実行を制御し、連携ジョブ識別情報と、連携ジョブを構成する複数の単独ジョブの単独ジョブログ識別情報とを対応付けて管理し、本体部２０から単独ジョブログを取得し、連携ジョブ識別情報に対応付けられた単独ジョブログ識別情報を含む単独ジョブログを抽出して、連携ジョブの連携ジョブログを生成する。【選択図】図６
2016178565.tif 000002
【特許請求の範囲】
【請求項１】
操作部と通信可能な本体部を備える機器と、情報処理装置と、を備える連携システムであって、
前記操作部は、
単独ジョブを前記本体部に実行させ、複数の単独ジョブで構成される連携ジョブを前記本体部及び前記情報処理装置に実行させるジョブ制御部を備え、
前記本体部は、
前記操作部及び前記情報処理装置の少なくともいずれかから単独ジョブの実行要求が行われる毎に、当該単独ジョブを実行するジョブ実行部と、
前記実行された単独ジョブ毎に、当該単独ジョブのログであって当該ログを識別する単独ジョブログ識別情報を含む単独ジョブログを生成して管理する単独ジョブログ管理部と、を備え、
前記情報処理装置は、
前記操作部からの前記連携ジョブの実行要求に基づいて、前記連携ジョブを構成する単独ジョブの実行を制御するジョブ実行制御部と、
前記連携ジョブを識別する連携ジョブ識別情報と、前記連携ジョブを構成する前記複数の単独ジョブの単独ジョブログ識別情報とを対応付けて管理する連携ジョブログ管理部と、を備え、
前記連携ジョブログ管理部は、前記本体部から単独ジョブログを取得し、前記連携ジョブ識別情報に対応付けられた単独ジョブログ識別情報を含む単独ジョブログを抽出して、前記連携ジョブのログである連携ジョブログを生成する連携システム。
【請求項２】
前記機器を複数備え、
前記ジョブ実行制御部は、前記連携ジョブを構成する単独ジョブに応じた１以上の前記本体部に、当該単独ジョブの実行要求を行う請求項１に記載の連携システム。
【請求項３】
前記連携ジョブログ管理部は、連携ジョブログ出力要求に基づいて、前記連携ジョブログを生成し、出力する請求項１又は２に記載の連携システム。
【請求項４】
前記ジョブ実行制御部は、前記連携ジョブを構成する単独ジョブを前記本体部に実行させる場合、当該本体部に当該単独ジョブの実行要求を行い、前記連携ジョブを構成する単独ジョブを前記情報処理装置に実行させる場合、当該単独ジョブを実行し、
前記連携ジョブログ管理部は、前記実行された単独ジョブ毎に、当該単独ジョブのログであって当該ログを識別する単独ジョブログ識別情報を含む単独ジョブログを生成して管理し、
前記連携ジョブログ管理部は、前記本体部及び前記情報処理装置から単独ジョブログを取得し、前記連携ジョブ識別情報に対応付けられた単独ジョブログ識別情報を含む単独ジョブログを抽出して、前記連携ジョブログを生成する請求項１〜３のいずれか１つに記載の連携システム。
【請求項５】
前記連携ジョブログ管理部は、前記連携ジョブの実行後に、前記連携ジョブログを生成する請求項１〜４のいずれか１つに記載の連携システム。
【請求項６】
前記操作部と前記情報処理装置とがネットワークを介して接続されている請求項１〜５のいずれか１つに記載の連携システム。
【請求項７】
前記操作部と前記本体部とは内部接続され、前記本体部と前記情報処理装置とがネットワークを介して接続されている請求項１〜５のいずれか１つに記載の連携システム。
【請求項８】
操作部と通信可能な本体部を備える機器と、ネットワークを介して接続される情報処理装置であって、
単独ジョブを前記本体部に実行させ、複数の単独ジョブで構成される連携ジョブを前記本体部及び前記情報処理装置に実行させる前記操作部からの前記連携ジョブの実行要求に基づいて、前記連携ジョブを構成する単独ジョブの実行を制御するジョブ実行制御部と、
前記連携ジョブを識別する連携ジョブ識別情報と、前記操作部及び前記情報処理装置の少なくともいずれかから単独ジョブの実行要求が行われる毎に、当該単独ジョブを実行し、当該単独ジョブのログであって当該ログを識別する単独ジョブログ識別情報を含む単独ジョブログを生成する前記本体部が管理する単独ジョブログの単独ジョブログ識別情報のうち、前記連携ジョブを構成する前記複数の単独ジョブの単独ジョブログ識別情報と、を対応付けて管理する連携ジョブログ管理部と、を備え、
前記連携ジョブログ管理部は、前記本体部から単独ジョブログを取得し、前記連携ジョブ識別情報に対応付けられた単独ジョブログ識別情報を含む単独ジョブログを抽出して、前記連携ジョブのログである連携ジョブログを生成する情報処理装置。
【請求項９】
複数の前記機器と前記ネットワークを介して接続され、
前記ジョブ実行制御部は、前記連携ジョブを構成する単独ジョブに応じた１以上の前記本体部に、当該単独ジョブの実行要求を行う請求項８に記載の情報処理装置。
【請求項１０】
前記連携ジョブログ管理部は、連携ジョブログ出力要求に基づいて、前記連携ジョブログを生成し、出力する請求項８又は９に記載の情報処理装置。
【請求項１１】
前記連携ジョブログは、連携ジョブログ出力要求に応じたログである請求項１０に記載の情報処理装置。
【請求項１２】
前記連携ジョブログ出力要求は、連携ジョブログの利用目的を示す利用目的情報を含み、
前記連携ジョブログは、前記利用目的情報が示す利用目的に応じたログである請求項１０又は１１に記載の情報処理装置。
【請求項１３】
前記連携ジョブログ管理部は、前記利用目的情報が利用状況の確認を示す場合、抽出した単独ジョブログのうち前記機器の入出力に関する単独ジョブログを用いて、前記連携ジョブログを生成する請求項１２に記載の情報処理装置。
【請求項１４】
前記連携ジョブログ管理部は、前記利用目的情報が処理負荷の確認を示す場合、抽出した単独ジョブログを取得先の機器毎に分類して、前記連携ジョブログを生成する請求項１３に記載の情報処理装置。
【請求項１５】
前記連携ジョブログ管理部は、抽出した単独ジョブログの構成を示す構成画面を出力し、前記構成画面において選択された単独ジョブログを用いて、前記連携ジョブログを生成する請求項１０又は１１に記載の情報処理装置。
【請求項１６】
前記構成画面は、抽出した単独ジョブログをジョブ単位でツリー構成化した画面である請求項１５に記載の情報処理装置。
【請求項１７】
前記構成画面は、抽出した単独ジョブログを機器単位でツリー構成化した画面である請求項１５に記載の情報処理装置。
【請求項１８】
前記ジョブ実行制御部は、前記連携ジョブを構成する単独ジョブを前記本体部に実行させる場合、当該本体部に当該単独ジョブの実行要求を行い、前記連携ジョブを構成する単独ジョブを前記情報処理装置に実行させる場合、当該単独ジョブを実行し、
前記連携ジョブログ管理部は、前記実行された単独ジョブ毎に、当該単独ジョブのログであって当該ログを識別する単独ジョブログ識別情報を含む単独ジョブログを生成して管理し、
前記連携ジョブログ管理部は、前記本体部及び前記情報処理装置から単独ジョブログを取得し、前記連携ジョブ識別情報に対応付けられた単独ジョブログ識別情報を含む単独ジョブログを抽出して、前記連携ジョブログを生成する請求項８〜１７のいずれか１つに記載の情報処理装置。
【請求項１９】
前記連携ジョブログ管理部は、前記連携ジョブの実行後に、前記連携ジョブログを生成する請求項８〜１８のいずれか１つに記載の情報処理装置。
【請求項２０】
操作部と通信可能な本体部を備える機器と、ネットワークを介して接続されるコンピュータに、
単独ジョブを前記本体部に実行させ、複数の単独ジョブで構成される連携ジョブを前記本体部及び前記情報処理装置に実行させる前記操作部からの前記連携ジョブの実行要求に基づいて、前記連携ジョブを構成する単独ジョブの実行を制御するジョブ実行制御ステップと、
前記連携ジョブを識別する連携ジョブ識別情報と、前記操作部及び前記情報処理装置の少なくともいずれかから単独ジョブの実行要求が行われる毎に、当該単独ジョブを実行し、当該単独ジョブのログであって当該ログを識別する単独ジョブログ識別情報を含む単独ジョブログを生成する前記本体部が管理する単独ジョブログの単独ジョブログ識別情報のうち、前記連携ジョブを構成する前記複数の単独ジョブの単独ジョブログ識別情報と、を対応付けて管理する連携ジョブログ管理ステップと、
前記本体部から単独ジョブログを取得し、前記連携ジョブ識別情報に対応付けられた単独ジョブログ識別情報を含む単独ジョブログを抽出して、前記連携ジョブのログである連携ジョブログを生成する連携ジョブログ生成ステップと、
を実行させるためのプログラムを記憶したコンピュータ読み取り可能な記憶媒体。
【発明の詳細な説明】
【技術分野】
【０００１】
本発明は、連携システム、情報処理装置及び記憶媒体に関する。
【背景技術】
【０００２】
従来から、複数の画像形成装置を連携動作させることで、画像形成装置単体では実現できない機能を実現する技術が知られている。
【０００３】
例えば特許文献１には、このような技術において、複数の画像形成装置それぞれが行ったジョブのログを連携動作の制御元の画像形成装置に集約して関連付けることで、連携動作のジョブを管理する技術が知られている。特許文献１に開示された技術では、いずれかの画像形成装置が連携動作を制御するため、連携動作の制御元の画像形成装置は、各画像形成装置が行ったジョブのログを集約することができる。
【発明の概要】
【発明が解決しようとする課題】
【０００４】
ところで、近年では、操作部と本体部とを独立させた構成の機器が開発されているが、このような機器では、本体部がジョブの流れを制御するわけではない。
【０００５】
このため、このような機器を連携動作させた場合、機器の本体部は、自身が行ったジョブのログを管理することしかできず、特許文献１に開示された技術のように、他の機器が行ったジョブのログを集約して管理することができないので、連携動作のジョブを管理することが困難であった。
【０００６】
本発明は、上記事情に鑑みてなされたものであり、操作部と本体部とを独立させた構成の機器を連携動作させる場合であっても、連携動作のジョブを管理することができる連携システム、情報処理装置及び記憶媒体を提供することを目的とする。
【課題を解決するための手段】
【０００７】
上述した課題を解決し、目的を達成するために、本発明の一態様にかかる連携システムは、操作部と通信可能な本体部を備える機器と、情報処理装置と、を備える連携システムであって、前記操作部は、単独ジョブを前記本体部に実行させ、複数の単独ジョブで構成される連携ジョブを前記本体部及び前記情報処理装置に実行させるジョブ制御部を備え、前記本体部は、前記操作部及び前記情報処理装置の少なくともいずれかから単独ジョブの実行要求が行われる毎に、当該単独ジョブを実行するジョブ実行部と、前記実行された単独ジョブ毎に、当該単独ジョブのログであって当該ログを識別する単独ジョブログ識別情報を含む単独ジョブログを生成して管理する単独ジョブログ管理部と、を備え、前記情報処理装置は、前記操作部からの前記連携ジョブの実行要求に基づいて、前記連携ジョブを構成する単独ジョブの実行を制御するジョブ実行制御部と、前記連携ジョブを識別する連携ジョブ識別情報と、前記連携ジョブを構成する前記複数の単独ジョブの単独ジョブログ識別情報とを対応付けて管理する連携ジョブログ管理部と、を備え、前記連携ジョブログ管理部は、前記本体部から単独ジョブログを取得し、前記連携ジョブ識別情報に対応付けられた単独ジョブログ識別情報を含む単独ジョブログを抽出して、前記連携ジョブのログである連携ジョブログを生成する。
【発明の効果】
【０００８】
本発明によれば、操作部と本体部とを独立させた構成の機器を連携動作させる場合であっても、連携動作のジョブを管理することができるという効果を奏する。
【図面の簡単な説明】
【０００９】
【図１】図１は、本実施形態の連携システムの構成の一例を示す模式図である。
【図２】図２は、本実施形態の子機のハードウェア構成の一例を示すブロック図である。
【図３】図３は、本実施形態のサーバ装置のハードウェア構成の一例を示すブロック図である。
【図４】図４は、本実施形態の親機のハードウェア構成の一例を示すブロック図である。
【図５】図５は、本実施形態の端末装置のハードウェア構成の一例を示すブロック図である。
【図６】図６は、本実施形態の連携システム１の機能構成の一例を示すブロック図である。
【図７】図７は、本実施形態の子機１０が生成した画像データをサーバ装置３０に転送する動作の一例を示すシーケンス図である。
【図８】図８は、サーバ装置３０に転送された画像データを親機４０に転送し、外部ファクス装置６０へファクス送信する動作の一例を示すシーケンス図である。
【図９】図９は、本実施形態のサーバ装置３０で管理されているログに関する情報の一例を示す図である。
【図１０】図１０は、本実施形態の本体部２０で管理されているログに関する情報の一例を示す図である。
【図１１】図１１は、本実施形態の本体部５０で管理されているログに関する情報の一例を示す図である。
【図１２】図１２は、本実施形態の機器連携ファクスの連携ジョブを構成する単独ジョブのログの概略の一例を示す図である。
【図１３】図１３は、図１２に示すスキャン蓄積ジョブログの詳細の一例を示す図である。
【図１４】図１４は、図１２に示すスキャン蓄積画像取得ジョブログの詳細の一例を示す図である。
【図１５】図１５は、図１２に示すファクス文書蓄積ジョブログの詳細の一例を示す図である。
【図１６】図１６は、図１２に示すファクス送信ジョブログの詳細の一例を示す図である。
【図１７】図１７は、本実施形態の機器連携ファクスの連携ジョブの連携ジョブログの生成動作の一例を示すシーケンス図である。
【図１８】図１８は、本実施形態の連携ジョブログの生成処理の詳細例を示すフローチャートである。
【図１９】図１９は、本実施形態のジョブログ出力要求を行うためのＷｅｂＵＩの一例を示す図である。
【図２０】図２０は、本実施形態のジョブログ取得条件設定の具体例の説明図である。
【図２１】図２１は、本実施形態の単独ジョブログの構成ツリーの一例を示す図である。
【図２２】図２２は、本実施形態の単独ジョブログの構成ツリーの一例を示す図である。
【発明を実施するための形態】
【００１０】
以下、添付図面を参照しながら、本発明にかかる連携システム、情報処理装置及び記憶媒体の実施形態を詳細に説明する。以下では、ファクス機能を有していない機器とファクス機能を有する機器とを連携させて、ファクス機能を有していない機器からファクス機能を実現する機器連携ファクスを例に取り説明するが、連携動作はこれに限定されるものではない。連携動作は、例えば、印刷機能を有していない機器とスキャナ機能を有していない機器とを連携させて、コピー機能を実現する機器連携コピーなどであってもよい。
【００１１】
図１は、本実施形態の連携システム１の構成の一例を示す模式図である。図１に示すように、連携システム１は、子機１０と、サーバ装置３０（情報処理装置の一例）と、親機４０と、外部ファクス装置６０と、端末装置７０と、を備える。子機１０、サーバ装置３０、親機４０、及び端末装置７０は、内部ネットワーク２を介して接続され、親機４０と外部ファクシミリ装置６０とは、外部ネットワーク３を介して接続されている。
【００１２】
内部ネットワーク２は、私設ネットワークであり、例えば、ＬＡＮ（Local  Area  Network）などが挙げられる。外部ネットワーク３は、公衆ネットワークであり、例えば、公衆回線網やインターネットなどが挙げられる。本実施形態では、外部ネットワーク３が公衆回線網である場合を例に取り説明するが、これに限定されるものではない。
【００１３】
子機１０は、親機４０が接続される内部ネットワーク２に接続され、ファクス機能を有さない機器である。子機１０は、例えば、印刷装置、複写機、及び複合機（ＭＦＰ：Multifunction  Peripheral）などの画像形成装置が挙げられる。
【００１４】
親機４０は、内部ネットワーク２及び外部ネットワーク３に接続され、ファクス機能を有する機器である。親機４０は、例えば、ファクス装置、ファクス機能を有する電話機、及びファクス機能を有する複合機などが挙げられる。
【００１５】
サーバ装置３０は、子機１０が生成したファクス用の画像データを親機４０に転送して外部ファクス装置６０にファクス送信させたり、親機４０が外部ファクス装置６０から受信したファクス用の画像データを子機１０に転送して受信させたりすることで、機器連携ファクスを実現するサーバである。
【００１６】
端末装置７０は、ユーザが所持する端末装置であり、例えば、スマートフォンやタブレット端末などスマートデバイスが挙げられる。
【００１７】
図２は、本実施形態の子機１０のハードウェア構成の一例を示すブロック図である。図２に示すように、子機１０は、操作部１１と本体部２０とを備える。操作部１１は、ＣＰＵ（Central  Processing  Unit）１０１と、ＲＯＭ（Read  Only  Memory）１０３と、ＲＡＭ（Random  Access  Memory）１０５と、ＨＤＤ（Hard  Disk  Drive）１０７と、ＮＩＣ（Network  Interface  Controller）１０９と、入力装置１１１と、表示装置１１３と、を備え、本体部２０は、スキャナユニット２０１と、ＣＰＵ２０３と、ＲＯＭ２０５と、ＲＡＭ２０７と、プリントエンジン２０９と、画像メモリ２１１と、ＨＤＤ２１３と、ＮＩＣ２１５と、を備える。但し、図２に示す子機１０のハードウェア構成は、一例であり、これに限定されるものではない。
【００１８】
ＮＩＣ１０９は、内部ネットワーク２を介した通信用の通信インタフェースである。入力装置１１１は、タッチパネルなど各種操作入力を行うものである。表示装置１１３は、ディスプレイなど各種情報を表示するものである。
【００１９】
ＲＯＭ１０３は、ＣＰＵ１０１で実行されるプログラムなどを記憶する。ＲＡＭ１０５は、ＣＰＵ１０１の作業領域に用いられる。ＨＤＤ１０７は、ＣＰＵ１０１が使用する各種データを記憶する。ＣＰＵ１０１は、ＲＯＭ１０３に記憶されたプログラムをＲＡＭ１０５上で実行することで、各種動作を実現する。
【００２０】
スキャナユニット２０１は、原稿台に置かれた原稿を電子的に読み取り、画像データを生成する。プリントエンジン２０９は、画像データを印刷出力する。画像メモリ２１１は、スキャナユニット２０１により生成された画像データやプリントエンジン２０９に印刷出力される画像データを格納するメモリである。ＮＩＣ２１５は、内部ネットワーク２を介した通信用の通信インタフェースである。
【００２１】
ＲＯＭ２０５は、ＣＰＵ２０３で実行されるプログラムなどを記憶する。ＲＡＭ２０７は、ＣＰＵ２０３の作業領域に用いられる。ＨＤＤ２１３は、ＣＰＵ２０３が使用する各種データを記憶する。ＣＰＵ２０３は、ＲＯＭ２０５に記憶されたプログラムをＲＡＭ２０７上で実行することで、バスで接続されたスキャナユニット２０１、プリントエンジン２０９、画像メモリ２１１、ＨＤＤ２１３、及びＮＩＣ２１５などを制御する。
【００２２】
図３は、本実施形態のサーバ装置３０のハードウェア構成の一例を示すブロック図である。図３に示すように、サーバ装置３０は、ＣＰＵ３０１と、ＲＯＭ３０３と、ＲＡＭ３０５と、ＨＤＤ３０７と、ＮＩＣ３０９と、を備える。
【００２３】
ＮＩＣ３０９は、内部ネットワーク２を介した通信用の通信インタフェースである。ＲＯＭ３０３は、ＣＰＵ３０１で実行されるプログラムなどを記憶する。ＲＡＭ３０５は、ＣＰＵ３０１の作業領域に用いられる。ＨＤＤ３０７は、ＣＰＵ３０１が使用する各種データを記憶する。ＣＰＵ３０１は、ＲＯＭ３０３に記憶されたプログラムをＲＡＭ３０５上で実行することで、各種動作を実現する。
【００２４】
図４は、本実施形態の親機４０のハードウェア構成の一例を示すブロック図である。図４に示すように、親機４０は、操作部４１と本体部５０とを備える。操作部４１は、ＣＰＵ４０１と、ＲＯＭ４０３と、ＲＡＭ４０５と、ＨＤＤ４０７と、ＮＩＣ４０９と、入力装置４１１と、表示装置４１３と、を備え、本体部５０は、スキャナユニット５０１と、ＣＰＵ５０３と、ＲＯＭ５０５と、ＲＡＭ５０７と、プリントエンジン５０９と、画像メモリ５１１と、ＨＤＤ５１３と、ＮＩＣ５１５と、ＭＯＤＥＭ５１７と、ＮＣＵ（Network  Control  Unit）５１９と、を備える。但し、図４に示す親機４０のハードウェア構成は、一例であり、これに限定されるものではない。
【００２５】
ＮＩＣ４０９は、内部ネットワーク２を介した通信用の通信インタフェースである。入力装置４１１は、タッチパネルなど各種操作入力を行うものである。表示装置４１３は、ディスプレイなど各種情報を表示するものである。
【００２６】
ＲＯＭ４０３は、ＣＰＵ４０１で実行されるプログラムなどを記憶する。ＲＡＭ４０５は、ＣＰＵ４０１の作業領域に用いられる。ＨＤＤ４０７は、ＣＰＵ４０１が使用する各種データを記憶する。ＣＰＵ４０１は、ＲＯＭ４０３に記憶されたプログラムをＲＡＭ４０５上で実行することで、各種動作を実現する。
【００２７】
スキャナユニット５０１は、原稿台に置かれた原稿を電子的に読み取り、画像データを生成する。プリントエンジン５０９は、画像データを印刷出力する。画像メモリ５１１は、スキャナユニット５０１により生成された画像データやプリントエンジン５０９に印刷出力される画像データを格納するメモリである。
【００２８】
ＮＩＣ５１５は、内部ネットワーク２を介した通信用の通信インタフェースである。ＮＣＵ５１９は、外部ネットワーク３を介した通信用の通信インタフェースである。ＭＯＤＥＭ５１７は、外部ネットワーク３を介したファクシミリ通信に伴う変復調を行う装置である。
【００２９】
ＲＯＭ５０５は、ＣＰＵ５０３で実行されるプログラムなどを記憶する。ＲＡＭ５０７は、ＣＰＵ５０３の作業領域に用いられる。ＨＤＤ５１３は、ＣＰＵ５０３が使用する各種データを記憶する。ＣＰＵ５０３は、ＲＯＭ５０５に記憶されたプログラムをＲＡＭ５０７上で実行することで、バスで接続されたスキャナユニット５０１、プリントエンジン５０９、画像メモリ５１１、ＨＤＤ５１３、ＮＩＣ５１５、ＭＯＤＥＭ５１７、及びＮＣＵ５１９などを制御する。
【００３０】
図５は、本実施形態の端末装置７０のハードウェア構成の一例を示すブロック図である。図５に示すように、端末装置７０は、ＣＰＵ７０１と、ＲＯＭ７０３と、ＲＡＭ７０５と、ＨＤＤ７０７と、ＮＩＣ７０９と、操作装置７１１と、表示装置７１３と、を備える。但し、図５に示す端末装置７０のハードウェア構成は、一例であり、これに限定されるものではない。
【００３１】
ＮＩＣ７０９は、内部ネットワーク２を介した通信用の通信インタフェースである。入力装置７１１は、タッチパネルなど各種操作入力を行うものである。表示装置７１３は、ディスプレイなど各種情報を表示するものである。
【００３２】
ＲＯＭ７０３は、ＣＰＵ７０１で実行されるプログラムなどを記憶する。ＲＡＭ７０５は、ＣＰＵ７０１の作業領域に用いられる。ＨＤＤ７０７は、ＣＰＵ７０１が使用する各種データを記憶する。ＣＰＵ７０１は、ＲＯＭ７０３に記憶されたプログラムをＲＡＭ７０５上で実行することで、各種動作を実現する。
【００３３】
図６は、本実施形態の連携システム１の機能構成の一例を示すブロック図である。図６に示すように、操作部１１は、入力部１５１と、表示部１５３と、ジョブ制御部１５５と、記憶部１５７と、を含む。ジョブ制御部１５５は、単独ジョブを本体部２０に実行させ、複数の単独ジョブで構成される連携ジョブを本体部２０及びサーバ装置３０に実行させる。
【００３４】
入力部１５１は、例えば、入力装置１１１により実現でき、表示部１５３は、例えば、表示装置１１３により実現でき、ジョブ制御部１５５は、例えば、ＣＰＵ１０１、ＲＡＭ１０５、及びＮＩＣ１０９により実現でき、記憶部１５７は、例えば、ＨＤＤ１０７により実現できる。
【００３５】
また図６に示すように、本体部２０は、ジョブ実行部２５１と、記憶部２５３と、単独ジョブログ管理部２５５と、を含む。ジョブ実行部２５１は、操作部１１及びサーバ装置３０の少なくともいずれかから単独ジョブの実行要求が行われる毎に、当該単独ジョブを実行する。ジョブログ管理部２５５は、実行された単独ジョブ毎に、当該単独ジョブのログであって当該ログを識別する単独ジョブログ識別情報を含む単独ジョブログを生成して管理する。
【００３６】
ジョブ実行部２５１は、例えば、スキャナユニット２０１、ＣＰＵ２０３、ＲＡＭ２０７、プリントエンジン２０９、画像メモリ２１１、及びＮＩＣ２１５により実現でき、記憶部２５３は、例えば、ＨＤＤ２１３により実現でき、単独ジョブログ管理部２５５は、例えば、ＣＰＵ２０３、ＲＡＭ２０７、及びＮＩＣ２１５により実現できる。
【００３７】
また図６に示すように、サーバ装置３０は、ジョブ実行制御部３５１と、連携ジョブログ管理部３５３と、記憶部３５５と、を含む。ジョブ実行制御部３５１は、操作部１１や操作部４１からの連携ジョブの実行要求に基づいて、連携ジョブを構成する単独ジョブの実行を制御する。具体的には、ジョブ実行制御部３５１は、連携ジョブを構成する単独ジョブに応じた１以上の本体部に、当該単独ジョブの実行要求を行う。
【００３８】
連携ジョブログ管理部３５３は、連携ジョブを識別する連携ジョブ識別情報と、連携ジョブを構成する複数の単独ジョブの単独ジョブログ識別情報とを対応付けて管理する。そして連携ジョブログ管理部３５３は、本体部２０や本体部５０から単独ジョブログを取得し、連携ジョブ識別情報に対応付けられた単独ジョブログ識別情報を含む単独ジョブログを抽出して、連携ジョブのログである連携ジョブログを生成する。
【００３９】
ジョブ実行制御部３５１及び連携ジョブログ管理部３５３は、例えば、ＣＰＵ３０１、ＲＡＭ３０５、及びＮＩＣ３０９により実現でき、記憶部３５５は、例えば、ＨＤＤ３０７により実現できる。
【００４０】
また図６に示すように、本体部５０は、ジョブ実行部５５１と、記憶部５５３と、単独ジョブログ管理部５５５と、を含む。ジョブ実行部５５１は、操作部４１及びサーバ装置３０の少なくともいずれかから単独ジョブの実行要求が行われる毎に、当該単独ジョブを実行する。ジョブログ管理部５５５は、実行された単独ジョブ毎に、当該単独ジョブのログであって当該ログを識別する単独ジョブログ識別情報を含む単独ジョブログを生成して管理する。
【００４１】
ジョブ実行部５５１は、例えば、スキャナユニット５０１、ＣＰＵ５０３、ＲＡＭ５０７、プリントエンジン５０９、画像メモリ５１１、ＮＩＣ５１５、ＭＯＤＥＭ５１７、及びＮＣＵ５１９により実現でき、記憶部５５３は、例えば、ＨＤＤ５１３により実現でき、単独ジョブログ管理部５５５は、例えば、ＣＰＵ５０３、ＲＡＭ５０７、及びＮＩＣ５１５により実現できる。
【００４２】
以下では、子機１０が生成した画像データを、サーバ装置３０を介して、親機４０に転送して外部ファクス装置６０にファクス送信させる場合を例に取り説明するが、これに限定されるものではない。また、以下では、単独ジョブログ識別情報が単独ジョブログＩＤであり、連携ジョブ識別情報が連携ジョブログＩＤである場合を例に取り説明するが、これに限定されるものではない。
【００４３】
最初に、子機１０が生成した画像データをサーバ装置３０に転送する動作について説明する。図７は、本実施形態の子機１０が生成した画像データをサーバ装置３０に転送する動作の一例を示すシーケンス図である。
【００４４】
まず、操作部１１の入力部１５１は、表示部１５３に表示されたメニュー画面上で、ファクス送信先や原稿の読取条件などを入力し、機器連携ファクスの連携ジョブ要求をジョブ制御部１５５に通知する（ステップＳ１０１）。
【００４５】
続いて、ジョブ制御部１５５は、入力部１５１から通知された機器連携ファクスの連携ジョブ要求から、本体部２０に対するスキャン蓄積の単独ジョブ要求、及びサーバ装置３０に対するスキャン蓄積画像データのファクス送信のジョブ要求を連続して制御すると判断する。なお、機器連携ファクスの連携ジョブは、スキャン蓄積の単独ジョブ及びスキャン蓄積画像データのファクス送信のジョブで構成され、スキャン蓄積画像データのファクス送信のジョブも、複数の単独ジョブで構成されている。
【００４６】
そしてジョブ制御部１５５は、最初に、本体部２０に対する単独ジョブ要求（スキャン蓄積）を行う（ステップＳ１０３）。
【００４７】
続いて、本体部２０のジョブ実行部２５１は、単独ジョブ要求（スキャン蓄積）を受け付けると、スキャン蓄積の単独ジョブを識別するジョブＩＤ＿Ａ１、及びスキャン蓄積の単独ジョブのログを識別する単独ジョブログＩＤ＿Ａ１を発行し、操作部１１へ通知する（ステップＳ１０５）。
【００４８】
続いて、ジョブ実行部２５１は、ファクス送信用の原稿から画像データを読み取り（ステップＳ１０７）、読み取った画像データを記憶部２５３へ記憶する（ステップＳ１０９）。
【００４９】
続いて、単独ジョブログ管理部２５５は、スキャン蓄積の単独ジョブのログであるスキャン蓄積ジョブログを生成し、記憶部２５３へ記憶する（ステップＳ１１１）。
【００５０】
一方、操作部１１のジョブ制御部１５５は、ジョブＩＤ＿Ａ１、及び単独ジョブログＩＤ＿Ａ１が通知されると、記憶部１５７からサーバ装置３０のＩＰアドレスを取得し、取得したＩＰアドレスに基づいて、サーバ装置３０に対するジョブ要求（ファクス送信、機器識別情報＿Ａ、ジョブＩＤ＿Ａ１、単独ジョブログＩＤ＿Ａ１）を行う（ステップＳ１１３）。
【００５１】
機器識別情報＿Ａは、スキャン蓄積を行った本体部２０の識別子であり、例えば、ＩＰアドレスなどが挙げられる。機器識別情報＿Ａは、記憶部１５７に予め記憶されているものとするが、これに限定されるものではない。
【００５２】
続いて、サーバ装置３０のジョブ実行制御部３５１は、ジョブ要求（ファクス送信、機器識別情報＿Ａ、ジョブＩＤ＿Ａ１、単独ジョブログＩＤ＿Ａ１）を受け付けると、機器連携ファクスの連携ジョブのログを識別する連携ジョブログＩＤ＿Ｘ１を発行し、連携ジョブログ管理部３５５は、連携ジョブログＩＤ＿Ｘ１、機器識別情報＿Ａ、及び単独ジョブログＩＤ＿Ａ１を対応付けて記憶部３５３へ記憶する（ステップＳ１１５）。
【００５３】
続いて、ジョブ実行制御部３５１は、機器識別情報＿Ａに基づいて、本体部２０に対する単独ジョブ要求（スキャン蓄積画像データ取得、ジョブＩＤ＿Ａ１）を行う（ステップＳ１１７）。
【００５４】
続いて、本体部２０のジョブ実行部２５１は、単独ジョブ要求（スキャン蓄積画像データ取得、ジョブＩＤ＿Ａ１）を受け付けると、スキャン蓄積画像データ取得の単独ジョブを識別するジョブＩＤ＿Ａ２、及びスキャン蓄積画像データ取得の単独ジョブのログを識別する単独ジョブログＩＤ＿Ａ２を発行し、ジョブＩＤ＿Ａ１が示すスキャン蓄積の単独ジョブで記憶部２５３に記憶された画像データであるスキャン蓄積画像データを記憶部２５３から取得する（ステップＳ１１９）。
【００５５】
続いて、単独ジョブログ管理部２５５は、スキャン蓄積画像データ取得の単独ジョブのログであるスキャン蓄積画像データ取得ジョブログを生成し、記憶部２５３へ記憶する（ステップＳ１２１）。
【００５６】
続いて、本体部２０のジョブ実行部２５１は、取得したスキャン蓄積画像データ、ジョブＩＤ＿Ａ２、及び単独ジョブログＩＤ＿Ａ２をサーバ装置３０へ通知する（ステップＳ１２３）。
【００５７】
続いて、サーバ装置３０のジョブ実行制御部３５１は、通知されたスキャン蓄積画像データを記憶部３５３へ記憶し（ステップＳ１２５）、連携ジョブログ管理部３５５は、記憶部３５３へ記憶されている連携ジョブログＩＤ＿Ｘ１に、機器識別情報＿Ａ、及び通知された単独ジョブログＩＤ＿Ａ２を対応付けて記憶部３５３へ記憶する（ステップＳ１２７）。
【００５８】
この時点で、本体部２０には、スキャン蓄積ジョブログ及び蓄積画像データ取得ジョブログが記憶されたが、これだけでは、本体部２０単体で完結した単独ジョブのログなのか、連携ジョブを構成する単独ジョブのログなのか判断できない。
【００５９】
次に、サーバ装置３０に転送された画像データを親機４０に転送し、外部ファクス装置６０へファクス送信する動作について説明する。図８は、図７に示すシーケンス図の続きであり、サーバ装置３０に転送された画像データを親機４０に転送し、外部ファクス装置６０へファクス送信する動作の一例を示すシーケンス図である。
【００６０】
まず、サーバ装置３０のジョブ実行制御部３５１は、記憶部３５３からスキャン蓄積画像データを読み出し、ファクス送信用のファクス文書であるファクス送信画像データに変換する（ステップＳ２０１）。
【００６１】
続いて、ジョブ実行制御部３５１は、記憶部３５３から親機４０（詳細には、本体部５０）の機器識別情報＿Ｂを取得し、取得した機器識別情報＿Ｂに基づいて、本体部５０に対する単独ジョブ要求（ファクス文書蓄積、ファクス送信画像データ）を行う（ステップＳ２０３）。
【００６２】
機器識別情報＿Ｂは、ファクス送信を行う本体部５０の識別子であり、例えば、ＩＰアドレスなどが挙げられる。機器識別情報＿Ｂは、記憶部３５３に予め記憶されているものとするが、これに限定されるものではない。
【００６３】
続いて、本体部５０のジョブ実行部５５１は、単独ジョブ要求（ファクス文書蓄積、ファクス送信画像データ）を受け付けると、ファクス文書蓄積の単独ジョブを識別するジョブＩＤ＿Ｂ１、ファクス文書蓄積の単独ジョブのログを識別する単独ジョブログＩＤ＿Ｂ１、及びファクス送信画像データを識別する蓄積文書ＩＤを発行し、通知されたファクス送信画像データを記憶部５５３に記憶する（ステップＳ２０５）。
【００６４】
続いて、単独ジョブログ管理部５５５は、ファクス文書蓄積の単独ジョブのログであるファクス文書蓄積ジョブログを生成し、記憶部５５３へ記憶する（ステップＳ２０７）。
【００６５】
続いて、ジョブ実行部５５１は、蓄積文書ＩＤ、ジョブＩＤ＿Ｂ１、及び単独ジョブログＩＤ＿Ｂ１をサーバ装置３０へ通知する（ステップＳ２０９）。
【００６６】
続いて、サーバ装置３０の連携ジョブログ管理部３５５は、記憶部３５３へ記憶されている連携ジョブログＩＤ＿Ｘ１に、機器識別情報＿Ｂ、及び通知された単独ジョブログＩＤ＿Ｂ１を対応付けて記憶部３５３へ記憶する（ステップＳ２１１）。
【００６７】
続いて、ジョブ実行制御部３５１は、本体部５０に対する単独ジョブ要求（ファクス送信、蓄積文書ＩＤ）を行う（ステップＳ２１３）。
【００６８】
続いて、本体部５０のジョブ実行部５５１は、単独ジョブ要求（ファクス送信、蓄積文書ＩＤ）を受け付けると、ファクス送信の単独ジョブを識別するジョブＩＤ＿Ｂ２、及びファクス送信の単独ジョブのログを識別する単独ジョブログＩＤ＿Ｂ２を発行し、サーバ装置３０へ通知する（ステップＳ２１５）。
【００６９】
続いて、サーバ装置３０の連携ジョブログ管理部３５５は、記憶部３５３へ記憶されている連携ジョブログＩＤ＿Ｘ１に、機器識別情報＿Ｂ、及び通知された単独ジョブログＩＤ＿Ｂ２を対応付けて記憶部３５３へ記憶する（ステップＳ２１７）。
【００７０】
一方、本体部５０のジョブ実行部５５１は、通知された蓄積文書ＩＤが示すファクス送信画像データを記憶部５５３から取得し（ステップＳ２１９）、外部ファクス装置６０へファクス送信する（ステップＳ２２１）。
【００７１】
続いて、単独ジョブログ管理部５５５は、ファクス送信の単独ジョブのログであるファクス送信ジョブログを生成し、記憶部５５３へ記憶する（ステップＳ２２３）。
【００７２】
この時点で、本体部５０には、ファクス文書蓄積ジョブログ及びファクス送信ジョブログが記憶されたが、これだけでは、本体部５０単体で完結した単独ジョブのログなのか、連携ジョブを構成する単独ジョブのログなのか判断できない。
【００７３】
図９は、本実施形態のサーバ装置３０で管理されているログに関する情報の一例を示す図であり、図１０は、本実施形態の本体部２０で管理されているログに関する情報の一例を示す図であり、図１１は、本実施形態の本体部５０で管理されているログに関する情報の一例を示す図である。なお、図９〜図１１に示す例では、図７及び図８のシーケンス図で説明した処理の後に、機器連携ファクスとは関係なく、本体部２０の単独ジョブとしてスキャン送信ジョブ、本体部５０の単独ジョブとしてコピージョブが行われているものとする。
【００７４】
図９に示すように、サーバ装置３０には、機器連携ファクスの連携ジョブの連携ジョブログＩＤとして連携ジョブログＩＤ＿Ｘ１が記憶され、本体部２０を示す機器識別情報＿Ａ、本体部５０を示す機器識別情報＿Ｂが対応付けられている。また、機器識別情報＿Ａには、単独ジョブログＩＤ＿Ａ１及び単独ジョブログＩＤ＿Ａ２が対応付けられ、機器識別情報＿Ｂには、単独ジョブログＩＤ＿Ｂ１及び単独ジョブログＩＤ＿Ｂ２が対応付けられている。
【００７５】
図１０に示すように、本体部２０には、単独ジョブログＩＤを含む単独ジョブログが記憶されている。具体的には、単独ジョブログＩＤ＿Ａ１を含むスキャン蓄積ジョブログ、単独ジョブログＩＤ＿Ａ２を含む蓄積画像データ取得ジョブログ、単独ジョブログＩＤ＿Ａ３を含むスキャン送信ジョブログが記憶されている。なお、前述の通り、単独ジョブログＩＤ＿Ａ３のスキャン送信ジョブログは、機器連携ファクスとは関係のない単独ジョブのログである。
【００７６】
図１１に示すように、本体部５０には、単独ジョブログＩＤを含む単独ジョブログが記憶されている。具体的には、単独ジョブログＩＤ＿Ｂ１を含むファクス文書蓄積ジョブログ、単独ジョブログＩＤ＿Ｂ２を含むファクス送信ジョブログ、単独ジョブログＩＤ＿Ｂ３を含むコピージョブが記憶されている。なお、前述の通り、単独ジョブログＩＤ＿Ｂ３のコピージョブログは、機器連携ファクスとは関係のない単独ジョブのログである。
【００７７】
図１２は、本実施形態の機器連携ファクスの連携ジョブを構成する単独ジョブのログの概略の一例を示す図である。
【００７８】
記録先は、ログが記憶されている機器を示し、ログタイプはログの分類を示し、ソースはジョブに対するデータの入力元を示し、デスティネーションはジョブに対するデータの出力先を示す。
【００７９】
１行目のログは、ジョブログＩＤ＿Ａ１が示す単独ジョブログであり、ログタイプがスキャン蓄積となっている。また、紙原稿を読み込むため、ソースはスキャナとなっており、読み取った原稿は記憶されるため、デスティネーションは蓄積メモリとなっている。
【００８０】
２行目のログは、ジョブログＩＤ＿Ａ２が示す単独ジョブログであり、ログタイプがスキャン蓄積画像取得となっている。また、すでに蓄積されている蓄積画像を取得するため、ソースは蓄積メモリとなっており、ネットワーク上のサーバ装置３０にデータが流れていくためデスティネーションはネットワークとなっている。
【００８１】
３行目のログは、ジョブログＩＤ＿Ｂ１が示す単独ジョブログであり、ログタイプがファクス文書蓄積となっている。また、サーバ装置３０が持つファクス送信画像データをネットワーク経由で本体部５０に蓄積するため、ソースはネットワークとなっており、デスティネーションは蓄積メモリとなっている。
【００８２】
４行目のログは、ジョブログＩＤ＿Ｂ２が示す単独ジョブログであり、ログタイプがファクス送信となっている。また、すでに蓄積されているファクス送信画像データを送信するため、ソースは蓄積メモリとなっており、デスティネーションはネットワークとなっている。
【００８３】
このように、機器識別情報＿Ａが示す本体部１０には、スキャナ蓄積してネットワークから取得されたログしか残らず、本体部１０の単体ジョブなのか、機器連携ジョブの一部なのか区別できない。同様に、機器識別情報＿Ｂが示す本体部５０には、ネットワーク上から通信された電子ファイルのファクス送信ログとしか残らず、本体部５０の単体ジョブなのか、機器連携ジョブの一部なのか区別できない。
【００８４】
図１３は、図１２に示すスキャン蓄積ジョブログの詳細の一例を示す図である。
【００８５】
ログに記録される情報として、ログタイプにより共通で記録される項目と、同じログタイプでもソース、デスティネーションにより変わる項目とが存在する。
【００８６】
スキャン蓄積においては、共通項目としてジョブログＩＤや、ジョブの開始／終了時刻、ジョブの操作元やユーザ名がある。ソースがスキャナである場合の項目としては、読み取りの状態／結果、スキャンした原稿の面数、カラーモードの指定、原稿種類の指定、解像度の指定がある。デスティネーションが蓄積メモリである場合の項目としては、蓄積の状態／結果、蓄積した枚数、蓄積した際の文書名、文書ＩＤがある。
【００８７】
これらの項目は一例として記載しているが、ジョブに関連する情報としてこれらの項目以外が記録されても構わない。
【００８８】
図１４は、図１２に示すスキャン蓄積画像取得ジョブログの詳細の一例を示す図である。ソースは蓄積メモリ、デスティネーションはネットワークとなっており、項目に違いはあるが、内容は図１３同様であるため、説明は省略する。
【００８９】
図１５は、図１２に示すファクス文書蓄積ジョブログの詳細の一例を示す図である。ソースはネットワーク、デスティネーションは蓄積メモリとなっており、項目に違いはあるが、内容は図１３同様であるため、説明は省略する。
【００９０】
図１６は、図１２に示すファクス送信ジョブログの詳細の一例を示す図である。ソースは蓄積メモリ、デスティネーションはネットワークとなっており、項目に違いはあるが、内容は図１３同様であるため、説明は省略する。
【００９１】
最後に、機器連携ファクスの連携ジョブの連携ジョブログの生成動作について説明する。上述したように、本体部単体で管理している情報だけでは、本体部単体で完結した単独ジョブのログなのか、連携ジョブを構成する単独ジョブのログなのか区別できない。このため本実施形態では、サーバ装置３０が各本体部から単体ジョブログを取得し、集約することで、連携ジョブの連携ジョブログを生成する。
【００９２】
図１７は、本実施形態の機器連携ファクスの連携ジョブの連携ジョブログの生成動作の一例を示すシーケンス図である。
【００９３】
まず、ユーザは、端末装置７０などを用いて、サーバ装置３０に対してジョブログ出力要求を行う（ステップＳ３０１）。例えば、サーバ装置３０の連携ジョブログ管理部３５５は、ＷｅｂＵＩを提供し、ユーザは、端末装置７０上でブラウザが表示するＷｅｂＵＩを操作してジョブログ出力要求を行う。
【００９４】
続いて、連携ジョブログ管理部３５５は、ジョブログ出力要求を受け付けると、サーバ装置３０と連携する機器の機器識別情報を記憶部３５３から取得する。ここでは、連携ジョブログ管理部３５５は、機器識別情報＿Ａ、機器識別情報＿Ｂを取得するものとする。
【００９５】
続いて、連携ジョブログ管理部３５５は、機器識別情報＿Ａに基づいて、本体部２０に対してジョブログ取得要求を行う（ステップＳ３０３）。これにより、本体部２０の単独ジョブログ管理部２５５は、記憶部２５３から単独ジョブログ（図１０参照）を取得し、サーバ装置３０に通知する（ステップＳ３０５）。そして、連携ジョブログ管理部３５５は、通知された本体部２０の単独ジョブログを記憶部３５３へ記憶する（ステップＳ３０７）。
【００９６】
続いて、連携ジョブログ管理部３５５は、機器識別情報＿Ｂに基づいて、本体部５０に対してジョブログ取得要求を行う（ステップＳ３０９）。これにより、本体部５０の単独ジョブログ管理部５５５は、記憶部５５３から単独ジョブログ（図１１参照）を取得し、サーバ装置３０に通知する（ステップＳ３１１）。そして、連携ジョブログ管理部３５５は、通知された本体部５０の単独ジョブログを記憶部３５３へ記憶する（ステップＳ３１３）。
【００９７】
なお、ステップＳ３０３〜Ｓ３０７までの処理と、ステップＳ３０９〜Ｓ３１３までの処理とを並列して行うようにしてもよいし、順序を入れ替えて行ってもよい。
【００９８】
続いて、連携ジョブログ管理部３５５は、取得した単独ジョブログの中から、連携ジョブログＩＤに対応付けられた単独ジョブログＩＤを含む単独ジョブログを抽出して、連携ジョブログを生成し（ステップＳ３１５）、端末装置７０へ通知する（ステップＳ３１７）。
【００９９】
図１８は、本実施形態の連携ジョブログの生成処理の詳細例を示すフローチャートである。
【０１００】
まず、連携ジョブログ管理部３５５は、記憶部３５３から連携ジョブログＩＤに対応付けられた単独ジョブログＩＤ（図９参照）を取得する（ステップＳ４０１）。これにより、連携ジョブログＩＤ＿Ｘ１に対し、単独ジョブログＩＤ＿Ａ１、単独ジョブログＩＤ＿Ａ２、単独ジョブログＩＤ＿Ｂ１、及び単独ジョブログＩＤ＿Ｂ２が取得される。
【０１０１】
続いて、連携ジョブログ管理部３５５は、本体部１０及び本体部５０から取得した単独ジョブログを取得し（ステップＳ４０３）、当該単独ジョブログに含まれる単独ジョブログＩＤが連携ジョブログＩＤに対応付けられた単独ジョブログＩＤと一致するか否か判定する（ステップＳ４０５）。
【０１０２】
一致する場合（ステップＳ４０５でＹｅｓ）、連携ジョブログ管理部３５５は、単独ジョブログを一時保存する（ステップＳ４０７）。
【０１０３】
そして連携ジョブログ管理部３５５は、本体部１０及び本体部５０から取得した単独ジョブログを全て判定するまで（ステップＳ４０９でＹｅｓ）、ステップＳ４０３〜Ｓ４０９までの処理を繰り返す。この結果、単独ジョブログＩＤ＿Ａ１、単独ジョブログＩＤ＿Ａ２、単独ジョブログＩＤ＿Ｂ１、及び単独ジョブログＩＤ＿Ｂ２のいずれかを含む単独ジョブログが一時保存される。
【０１０４】
連携ジョブログ管理部３５５は、本体部１０及び本体部５０から取得した単独ジョブログを全て判定すると（ステップＳ４０９でＹｅｓ）、一時保存されている単独ジョブログを結合して、連携ジョブログを生成し（ステップＳ４１１）、出力する（ステップＳ４１３）。この結果、単独ジョブログＩＤ＿Ａ１、単独ジョブログＩＤ＿Ａ２、単独ジョブログＩＤ＿Ｂ１、及び単独ジョブログＩＤ＿Ｂ２のいずれかを含む単独ジョブログが結合されて、連携ジョブログとなる。
【０１０５】
なお、連携ジョブログ管理部３５５は、ステップＳ４０５で単独ジョブログＩＤが一致しなかった単独ジョブログについても、本体部単体の単独ジョブログとして、連携ジョブログと併せて出力してもよい。
【０１０６】
図１９は、本実施形態のジョブログ出力要求を行うためのＷｅｂＵＩの一例を示す図である。図１９に示す例では、条件設定を行うことにより、様々な加工パターンで連携ジョブログを提供することができるようになっている。つまり、連携ジョブログは、連携ジョブログ出力要求に応じたログとすることができる。
【０１０７】
具体的には、ユーザは、「ジョブログ取得条件設定」ボタンと押すことで表示される画面において、条件設定を行い、「アーカイブを作成」ボタンを押すことで、先ほど指定した条件に基づいて、連携ジョブログ管理部３５５が連携ジョブログを加工し、アーカイブ処理を行う。アーカイブが完了するとダウンロードのボタン上にアーカイブファイル名（例：Ｈｉｓｔｏｒｙ＿２０１５０１２３１４０６００．ｚｉｐ）が表示されるので、そのボタンを押すと連携ジョブログのダウンロードが行われる。
【０１０８】
図２０は、本実施形態のジョブログ取得条件設定の具体例の説明図である。図２０に示す例では、ジョブログ取得条件設定において、ユーザのジョブログ利用目的を選択することで、自動的にジョブログ加工パターンが決まる場合の例を示している。これにより、連携ジョブログ出力要求に選択された利用目的を示す利用目的情報が含まれ、連携ジョブログ管理部３５５は、利用目的情報が示す利用目的に応じた連携ジョブログを生成する。ここでは、利用目的として、「ジョブ利用状況の確認」、「機器毎の処理負荷の確認」が選択できる。
【０１０９】
「ジョブ利用状況の確認」を選択した場合、ユーザは、実行ジョブ単位での内容や回数を知りたいことが考えられ、システムが内部的にどのような単独ジョブの組み合わせで実現したかには興味が無いと考えられる。このため、連携システム１に対する入出力の単独ジョブログのみを扱う。
【０１１０】
機器連携ファクスの連携ジョブの場合、図１２に示す１行目の単独ジョブログ（スキャン蓄積ジョブログ）及び４行目の単独ジョブログ（ファクス送信ジョブログ）が該当するので、連携ジョブログ管理部３５５は、この２つの単独ジョブログを対象に加工した連携ジョブログを生成するので、紙原稿をスキャンしてファクス送信する、というジョブを１回実行したということが判断できる。なお、内部的に単独ジョブが4回実行されたという情報は不要である。
【０１１１】
「機器毎の処理負荷の確認」を選択した場合、ユーザは、システムが内部的にどのような処理をしているのかを含め、機器毎にいつどのようなジョブが実行されたのか、という情報を知りたいことが考えられる。このため、連携システム１に対する単独ジョブログを機器毎に分類して扱う。
【０１１２】
機器連携ファクスの連携ジョブの場合、連携ジョブログ管理部３５５は、図１２に示す１行目〜２行目の単独ジョブログをパッケージ化するとともに、３行目〜４行目の単独ジョブログをパッケージ化して、連携ジョブログを生成するので、連携システム１を構成する機器毎のジョブログがまとめて取得でき、かつ、単純に単独ジョブの羅列ではなく、連携ジョブとしての関連があることの情報も得られる。
【０１１３】
なお、ジョブログ取得条件設定において、連携ジョブログ管理部３５５は、ジョブ単位に構成された単独ジョブログの構成ツリーの画面を出力し、構成ツリーから選択された単独ジョブログを対象に連携ジョブログを加工するようにしてもよい。この場合、構成ツリーは、図２１に示すように、ジョブ単位で構成しても、図２２に示すように、機器単位で構成してもよい。なお、図２１及び図２２において、画像形成装置Ａは本体部２０を示し、画像形成装置Ｂは本体部５０を示す。
【０１１４】
構成ツリーがジョブ単位であれば、単独ジョブログ及び連携ジョブログの構成が視覚的に分かりやすくなり、必要なジョブログが探しやすくなる。一方、構成ツリーが機器単位であれば、機器毎に記録されている単独ジョブログが視覚的に分かりやすくなり、かつ、連携ジョブログとの関係も示せるため、必要なジョブログが探しやすくなる。
【０１１５】
以上のように本実施形態によれば、サーバ装置が各本体部から単体ジョブログを取得し、集約することで、連携ジョブの連携ジョブログを生成するので、操作部と本体部とを独立させた構成の機器を連携動作させる場合であっても、連携動作のジョブを管理することができるという効果を奏する。
【０１１６】
これにより、各本体部に記憶されている単独ジョブログが、本体部単体で完結した単独ジョブのログなのか、連携ジョブを構成する単独ジョブのログなのかも判断することができる。
【０１１７】
（変形例１）
上記実施形態において、サーバ装置３０も単独ジョブを実行するようにしてもよい。この場合、ジョブ実行制御部３５１は、連携ジョブを構成する単独ジョブを本体部に実行させる場合、当該本体部に当該単独ジョブの実行要求を行い、連携ジョブを構成する単独ジョブをサーバ装置３０に実行させる場合、当該単独ジョブを実行し、連携ジョブログ管理部３５５は、実行された単独ジョブ毎に、単独ジョブログＩＤを含む単独ジョブログを生成して管理し、連携ジョブログ管理部３５５は、サーバ装置３０からも単独ジョブログを取得して、連携ジョブログを生成するようにすればよい。
【０１１８】
（変形例２）
上記実施形態では、連携ジョブログ管理部３５５は、ジョブログ出力要求に基づいて、連携ジョブログを生成したが、連携ジョブの実行後に、連携ジョブログを生成するようにしてもよい。このようにすれば、連携ジョブログが記憶部３５３に記憶されるため、オフライン時であっても連携ジョブログの出力が可能となる。
【０１１９】
（変形例３）
上記実施形態では、操作部１１が内部ネットワーク２を介してサーバ装置３０と直接通信することを想定して説明したが、操作部１１が本体部２０及び内部ネットワーク２を介してサーバ装置３０と通信するようにしてもよい。
【０１２０】
（変形例４）
上記実施形態において、操作部１１をスマートフォンやタブレット端末のアプリケーションで実現するようにしてもよい。
【０１２１】
（変形例５）
上記実施形態において、サーバ装置３０を独立のサーバとするのではなく、子機１０や親機４０に内蔵したサーバとしてもよい。
【０１２２】
（プログラム）
上記実施形態及び各変形例の操作部、本体部、及びサーバ装置（以下、「上記実施形態及び各変形例の各装置」と称する）で実行されるプログラムは、インストール可能な形式又は実行可能な形式のファイルでＣＤ−ＲＯＭ、ＣＤ−Ｒ、メモリカード、ＤＶＤ（Digital  Versatile  Disk）、フレキシブルディスク（ＦＤ）等のコンピュータで読み取り可能な記憶媒体に記憶されて提供される。
【０１２３】
また、上記実施形態及び各変形例の各装置で実行されるプログラムを、インターネット等のネットワークに接続されたコンピュータ上に格納し、ネットワーク経由でダウンロードさせることにより提供するようにしてもよい。また、上記実施形態及び各変形例の各装置を、インターネット等のネットワーク経由で提供または配布するようにしてもよい。また、上記実施形態及び各変形例の各装置で実行されるプログラムを、ＲＯＭ等に予め組み込んで提供するようにしてもよい。
【０１２４】
上記実施形態及び各変形例の各装置で実行されるプログラムは、上述した各部をコンピュータ上で実現させるためのモジュール構成となっている。実際のハードウェアとしては、例えば、ＣＰＵがＲＯＭからプログラムをＲＡＭ上に読み出して実行することにより、上記各機能部がコンピュータ上で実現されるようになっている。
【符号の説明】
【０１２５】
１  連携システム
２  内部ネットワーク
３  外部ネットワーク
１０  子機
１１  操作部
２０  本体部
３０  サーバ装置
４０  親機
４１  操作部
５０  本体部
６０  外部ファクス装置
７０  携帯端末
１０１  ＣＰＵ
１０３  ＲＯＭ
１０５  ＲＡＭ
１０７  ＨＤＤ
１０９  ＮＩＣ
１１１  入力装置
１１３  表示装置
１５１  入力部
１５３  表示部
１５５  ジョブ制御部
１５７  記憶部
２０１  スキャナユニット
２０３  ＣＰＵ
２０５  ＲＯＭ
２０７  ＲＡＭ
２０９  プリントエンジン
２１１  画像メモリ
２１３  ＨＤＤ
２１５  ＮＩＣ
２５１  ジョブ実行部
２５３  記憶部
２５５  単独ジョブログ管理部
３０１  ＣＰＵ
３０３  ＲＯＭ
３０５  ＲＡＭ
３０７  ＨＤＤ
３０９  ＮＩＣ
３５１  ジョブ実行制御部
３５３  連携ジョブログ管理部
３５５  記憶部
４０１  ＣＰＵ
４０３  ＲＯＭ
４０５  ＲＡＭ
４０７  ＨＤＤ
４０９  ＮＩＣ
４１１  入力装置
４１３  表示装置
５０１  スキャナユニット
５０３  ＣＰＵ
５０５  ＲＯＭ
５０７  ＲＡＭ
５０９  プリントエンジン
５１１  画像メモリ
５１３  ＨＤＤ
５１５  ＮＩＣ
５１７  ＭＯＤＥＭ
５１９  ＮＣＵ
５５１  ジョブ実行部
５５３  記憶部
５５５  単独ジョブログ管理部
７０１  ＣＰＵ
７０３  ＲＯＭ
７０５  ＲＡＭ
７０７  ＨＤＤ
７０９  ＮＩＣ
７１１  操作装置
７１３  表示装置
【先行技術文献】
【特許文献】
【０１２６】
【特許文献１】特許第５２４１３４５号公報
【図１】
2016178565.tif 000003
【図２】
2016178565.tif 000004
【図３】
2016178565.tif 000005
【図４】
2016178565.tif 000006
【図５】
2016178565.tif 000007
【図６】
2016178565.tif 000008
【図７】
2016178565.tif 000009
【図８】
2016178565.tif 000010
【図９】
2016178565.tif 000011
【図１０】
2016178565.tif 000012
【図１１】
2016178565.tif 000013
【図１２】
2016178565.tif 000014
【図１３】
2016178565.tif 000015
【図１４】
2016178565.tif 000016
【図１５】
2016178565.tif 000017
【図１６】
2016178565.tif 000018
【図１７】
2016178565.tif 000019
【図１８】
2016178565.tif 000020
【図１９】
2016178565.tif 000021
【図２０】
2016178565.tif 000022
【図２１】
2016178565.tif 000023
【図２２】
2016178565.tif 000024